(57)【要約】      （修正有）【課題】抽選情報表示領域を表面に設ける場合と比べ、配布日表示領域の表示内容を目立たせることができ、情報を容易に確認させることができるくじ券を提供する。【解決手段】くじ券１は、表面２、および、裏面３を有し、表面２に設けられ、顧客に配布される配布日が表示された配布日表示領域１０と、裏面３に設けられ、抽選に用いられる抽選情報１８が表示された抽選情報表示領域１４と、を備える。【選択図】図１
0003226563.tif 000002
【実用新案登録請求の範囲】
【請求項１】
第１面、および、前記第１面とは反対側の第２面を有するくじ券であって、
前記第１面に設けられ、顧客に配布される配布日が表示された配布日表示領域と、
前記第２面に設けられ、抽選に用いられる抽選情報が表示された抽選情報表示領域と、
を備えるくじ券。
【請求項２】
前記第１面に設けられ、前記くじ券を用いたイベントの内容に関する情報が表示されたイベント内容表示領域を備える請求項１に記載のくじ券。
【請求項３】
前記第２面に設けられ、係員が押印するための押印領域を備える請求項１または２に記載のくじ券。
【請求項４】
前記第２面に設けられ、当選情報が表示された当選情報表示領域を備える請求項１から３のいずれか１項に記載のくじ券。
【考案の詳細な説明】
【技術分野】
【０００１】
本考案は、顧客に配布されるくじ券に関する。
【背景技術】
【０００２】
例えば、特許文献１には、小売会社の店舗において買い物をした顧客に対し、抽選情報が表示された抽選券部を備える顧客来店促進用カードを配布することが記載されている。
【先行技術文献】
【特許文献】
【０００３】
【特許文献１】実用新案登録第３２１９５４３号公報
【考案の概要】
【考案が解決しようとする課題】
【０００４】
特許文献１に記載の顧客来店促進用カードでは、抽選券部と、配布日が表示された日付表示部とが表面に設けられている。しかしながら、このような販売促進用カードでは、抽選券部が表面に設けられているため、表面において、日付表示部に表示された配布日などの情報を表示する領域が減ってしまい、情報が確認し難くなるといった問題があった。
【０００５】
そこで、本考案は、情報を容易に確認させることが可能なくじ券を提供することを目的とする。
【課題を解決するための手段】
【０００６】
上記課題を解決するために、本考案のくじ券は、第１面、および、前記第１面とは反対側の第２面を有するくじ券であって、前記第１面に設けられ、顧客に配布される配布日が表示された配布日表示領域と、前記第２面に設けられ、抽選に用いられる抽選情報が表示された抽選情報表示領域と、を備える。
【０００７】
前記第１面に設けられ、前記くじ券を用いたイベントの内容に関する情報が表示されるイベント内容表示領域を備えてもよい。
【０００８】
前記第２面に設けられ、係員が押印するための押印領域を備えてもよい。
【０００９】
前記第２面に設けられ、当選情報が表示された当選情報表示領域を備えてもよい。
【考案の効果】
【００１０】
本考案によれば、情報を容易に確認させることが可能となる。
【図面の簡単な説明】
【００１１】
【図１】本実施形態にかかるくじ券の構成を示す概略図である。
【図２】抽選情報に表示される組番号および抽選番号の一例を説明する図である。
【図３】配布終了ポスターの一例を説明する図である。
【図４】当選番号ポスターの一例を説明する図である。
【考案を実施するための形態】
【００１２】
以下に添付図面を参照しながら、本考案の実施形態について詳細に説明する。かかる実施形態に示す寸法、材料、その他具体的な数値等は、考案の理解を容易にするための例示に過ぎず、特に断る場合を除き、本考案を限定するものではない。なお、本明細書および図面において、実質的に同一の機能、構成を有する要素については、同一の符号を付することにより重複説明を省略し、また本考案に直接関係のない要素は図示を省略する。
【００１３】
図１は、本実施形態にかかるくじ券１の構成を示す概略図である。くじ券１は、図１（ａ）に示す表面２、および、図１（ｂ）に示す裏面３を備える。裏面３は、表面２とは反対側の面である。なお、表面２は本考案の第１面に相当し、裏面３は、本考案の第２面に相当する。
【００１４】
くじ券１の表面２には、イベント内容表示領域４および日付表示領域５が左右に並んで設けられる。イベント内容表示領域４は、表面２における左側に設けられ、日付表示領域５は、表面２における右側に設けられる。
【００１５】
イベント内容表示領域４には、小売会社名情報６、くじ名情報７、景品情報８、注意情報９等のくじ券１を用いたイベント（販売促進イベント）の内容に関する情報が表示される。小売会社名情報６は、小売会社の名前（ここでは、「ＪＡＭＤＥＳＩＧＮ」）を示しており、イベント内容表示領域４の左上に表示される。くじ名情報７は、くじ券１が配布されるイベントの名前（ここでは、「わくわく宝くじ」）を示しており、イベント内容表示領域４の上方に表示される。
【００１６】
景品情報８は、くじ券１によって獲得可能な景品を示しており、イベント内容表示領域４の中央に表示される。図１（ａ）の例では、景品の等級として、夢当賞、ＪＡＭＤＥＳＩＧＮ賞、１等、２等および３等が設けられ、景品情報８には、各等級にそれぞれ対応する景品が示されている。
【００１７】
注意情報９は、くじ券１が配布される条件、景品の交換方法等、くじ券１に関する情報を示しており、イベント内容表示領域４の下方に表示される。
【００１８】
日付表示領域５には、配布日表示領域１０、当選発表日表示領域１１および景品交換期間表示領域１２が上から順に設けられる。配布日表示領域１０には、例えば、１１／２（土）〜１１／１７（日）のように、くじ券１が配布される配布日（配布期間）が表示される。当選発表日表示領域１１には、例えば、１１／２３（土）のように、詳しくは後述する当選番号が発表される当選発表日が表示される。景品交換期間表示領域１２には、例えば、１１／２３（日）〜１２／１（日）のように、くじ券１と、当選した等級の景品とを交換可能な交換期間（交換日）が表示される。
【００１９】
くじ券１の裏面３には、当選情報表示領域１３および抽選情報表示領域１４が左右に並んで設けられる。当選情報表示領域１３は、裏面３における左側に設けられ、抽選情報表示領域１４は、裏面３における右側に設けられる。
【００２０】
当選情報表示領域１３には、当選発表日表示領域１５、景品交換期間表示領域１６および押印領域１７が設けられ、当選発表日、交換期間、交換場所等の当選情報が表示される。当選発表日表示領域１５には、例えば、１１／２３（土）のように、当選番号が発表される当選発表日が表示される。景品交換期間表示領域１６には、例えば、１１／２３（日）〜１２／１（日）のように、くじ券１と、当選した等級の景品とを交換可能な交換期間（交換日）が表示される。押印領域１７は、小売会社の各店舗において係員が押印するための領域である。
【００２１】
抽選情報表示領域１４には、抽選情報１８および店舗名情報１９が表示される。抽選情報１８は、組番号および抽選番号の組み合わせによって構成されており、抽選情報表示領域１４の中央に表示される。店舗名情報１９は、店舗名（ここでは、「○○○○○○○店」）を示しており、抽選情報表示領域１４の下方に表示される。
【００２２】
図２は、抽選情報１８に表示される組番号および抽選番号の一例を説明する図である。図２に示すように、小売会社の本部および各店舗には、店舗番号が個別に設定されている。そして、各店舗で配布されるくじ券１の組番号は、店舗ごとに個別に設定された店舗番号と同一番号となっている。
【００２３】
抽選番号は、組番号ごとに、すなわち、店舗ごとに、例えば００００００１〜０００４０００が設けられている。したがって、各店舗では、店舗番号に対応する組番号が表示されるとともに、抽選番号として００００００１〜０００４０００がそれぞれ表示されたくじ券１が顧客に配布されることになる。なお、詳しくは後述するように、店舗とは異なる本部において抽選を行う際に用いられるくじ券１として、組番号０００が表示されるとともに、抽選番号００００００１〜０００４０００がそれぞれ表示されたくじ券１が設けられている。
【００２４】
くじ券１は、配布日表示領域１０に表示された配布日（配布期間）に、合計で所定金額（例えば、２０００円）以上の買い物をした顧客に対して、所定金額（例えば、２０００円）ごとに１枚配布される。顧客は、くじ券１を受け取ると、まず、表面２を確認することになる。表面２には、配布日表示領域１０が設けられているため、くじ券１が配布される配布日に再度買い物を行うように顧客に対して促すことができ、販売促進につながる。
【００２５】
また、表面２には、イベント内容表示領域４および日付表示領域５が設けられているため、顧客は、イベントの内容（情報）を容易に把握することができる。
【００２６】
ここで、くじ券１の表面２には、抽選情報表示領域１４（抽選情報１８）が設けられていない。そして、抽選情報１８は、当選番号が発表された後で、当選しているか否かを確認するときに見ることになる。すなわち、くじ券１の配布期間中は、抽選情報１８に対する顧客の関心が低い。
【００２７】
そこで、くじ券１では、抽選情報表示領域１４を裏面３に設けることにより、抽選情報表示領域１４を表面２に設ける場合と比べ、イベント内容表示領域４および日付表示領域５を目立たせること（表示面積を大きくすること）ができる。これにより、顧客は、イベントの内容（情報）を容易に把握することができる。特に、顧客にとって最も関心の高い、いつまでくじ券１が配布されるかを表示する配布日表示領域１０を表面２に設けることで、配布日を目立たせることができ、イベントへの積極的な参加（購買）を促すことができる。
【００２８】
図３は、配布終了ポスター２０の一例を説明する図である。上記したように、各店舗においては、例えば４０００枚のくじ券１が顧客に対して配布される。そして、配布日（配布期間）内において４０００枚のくじ券１が顧客に対して配布されると、配布日（配布期間）内であってもくじ券１が配布されることはない。４０００枚のくじ券１を配布し終えた店舗では、図３に示す配布終了ポスター２０を店舗内に掲示することで、くじ券１の配布が終了したことを顧客に報知する。
【００２９】
配布日表示領域１０に表示された配布日（配布期間）が終了すると、本部において、組番号として０００が表示されたくじ券１を用いて、各等級（各賞）の当選番号を抽選により決定する。具体的には、組番号として０００が表示されたくじ券１を、本部の社員等が実際にくじ引きし、そのくじ引きされたくじ券１に表示された抽選番号が当選番号として決定される。
【００３０】
図４は、当選番号ポスター２１の一例を説明する図である。本部において当選番号が決定されると、各店舗では、当選発表日に、図４に示す当選番号ポスター２１が掲示される。顧客は、当選番号ポスター２１に表示された当選番号と、くじ券１の裏面３に表示された抽選情報１８の抽選番号とが一致しているかを確認することになる。そして、当選番号ポスター２１に表示された当選番号と、くじ券１の裏面３に表示された抽選情報１８の抽選番号とが一致している場合、すなわち、いずれかの賞に当選している場合、裏面３の当選情報表示領域１３に表示された情報を確認することで、当選したくじ券１をその店舗のサービスカウンターに持っていくことになる。
【００３１】
当選したくじ券１を受け取った係員は、くじ券１の裏面３に表示された抽選情報１８の組番号が店舗番号と一致するかを確認するとともに、当選番号と、くじ券１の裏面３に表示された抽選情報１８の抽選番号とが一致しているかを確認した後、一致していれば、当選した等級の景品を顧客に引き渡す。また、係員は、くじ券１の裏面３に設けられた押印領域１７に押印を行い、そのくじ券１を所定の保管方法により保管する。
【００３２】
このとき、押印領域１７が抽選情報表示領域１４と同一の裏面３に設けられているため、係員は、抽選番号を確認した後に、直ぐに押印を行うことができ、係員の作業効率を向上させることができる。
【００３３】
以上、添付図面を参照しながら本考案の実施形態について説明したが、本考案はかかる実施形態に限定されないことは言うまでもない。当業者であれば、実用新案登録請求の範囲に記載された範疇において、各種の変更例または修正例に想到し得ることは明らかであり、それらについても当然に本考案の技術的範囲に属するものと了解される。
【００３４】
例えば、上記実施形態では、抽選情報１８として、組番号および抽選番号が設けられるようにした場合について説明したが、抽選情報１８として抽選番号のみが設けられるようにしてもよい。
【００３５】
また、上記実施形態では、配布日表示領域１０が表面２（第１面）の右上に設けられるようにしたが、配布日表示領域１０が第１面のどこに設けられていてもよい。
【００３６】
また、上記実施形態では、抽選情報表示領域１４が裏面３（第３面）の右側に設けられるようにしたが、抽選情報表示領域１４が第２面のどこに設けられていてもよい。すなわち、配布日表示領域１０が第１面に設けられ、抽選情報表示領域１４が第２面に設けられていればよい。
【符号の説明】
【００３７】
１  くじ券
２  表面（第１面）
３  裏面（第２面）
４  イベント内容表示領域
１０  配布日表示領域
１３  当選情報表示領域
１４  抽選情報表示領域
１７  押印領域
１８  抽選情報
【図１】
0003226563.tif 000003
【図２】
0003226563.tif 000004
【図３】
0003226563.tif 000005
【図４】
0003226563.tif 000006